(57)【特許請求の範囲】
【請求項１】
表示部と、上記表示部に重ねて設けられ、ユーザによるタッチ操作を検出するタッチパネルとを備える通信端末装置と、
第１の表示情報および上記第１の表示情報とは異なる第２の表示情報を上記通信端末装置に供給するサーバ装置と、を備えた表示システムであって、
上記通信端末装置は、上記第１の表示情報および上記第２の表示情報をそれぞれ一つの時系列に沿って上記表示部に表示する表示手段であって、上記第１の表示情報を上記表示部の一端に寄せて表示し、上記第２の表示情報を上記一端とは異なる上記表示部の他端に寄せて表示する表示手段を備え、
上記表示手段は、上記タッチパネルにおいて、上記表示部の他端方向へのスワイプを検出すると、上記第１の表示情報に関する入力を受け付ける第１の表示情報入力画面を表示し、上記表示部の一端方向へのスワイプを検出すると、上記第２の表示情報に関する入力を受け付ける第２の表示情報入力画面を表示する、
ことを特徴とする表示システム。
【請求項２】
上記表示手段は、さらに、上記第１の表示情報入力画面において上記第１の表示情報の一部を表示し、上記第２の表示情報入力画面において上記第２の表示情報の一部をする、
ことを特徴とする請求項１に記載の表示システム。
【請求項３】
上記表示手段は、さらに、上記第１の表示情報を示す第１のアイコンを、上記第１の表示情報と共に上記表示部の一端に寄せて表示し、上記第２の表示情報を示す第２のアイコンを、上記第２の表示情報と共に上記表示部の他端に寄せて表示する、
ことを特徴とする請求項１又は２に記載の表示システム。
【請求項４】
上記表示手段は、さらに、上記第１の表示情報入力画面において上記第１のアイコンを上記第１の表示情報の一部として表示し、上記第２の表示情報入力画面において上記第２のアイコンを上記第２の表示情報の一部として表示する、
ことを特徴とする請求項３に記載の表示システム。
【請求項５】
第１の表示情報および上記第１の表示情報とは異なる第２の表示情報をそれぞれ一つの時系列に沿って表示可能な表示データを生成する生成手段であって、上記第１の表示情報を上記一つの時系列に沿った一端に寄せて表示し、上記第２の表示情報を上記一端とは異なる上記一つの時系列に沿った他端に寄せて表示可能な表示データを生成する生成手段と、
上記表示データを送信する送信手段と、を備え、
上記生成手段は、上記一つの時系列に沿った一端側に上記第１の表示情報の入力を受け付ける第１の表示情報入力画面を表示し、上記一つの時系列に沿った他端側に上記第２の表示情報の入力を受け付ける第２の表示情報入力画面を表示可能な表示データを生成する、
ことを特徴とするサーバ装置。
【請求項６】
表示部と、
上記表示部に重ねて設けられ、ユーザによるタッチ操作を検出するタッチパネルと、
第１の表示情報および上記第１の表示情報とは異なる第２の表示情報をそれぞれ一つの時系列に沿って上記表示部に表示する表示手段であって、上記第１の表示情報を上記表示部の一端に寄せて表示し、上記第２の表示情報を上記一端とは異なる上記表示部の他端に寄せて表示する表示手段と、を備え、
上記表示手段は、上記タッチパネルにおいて、上記表示部の他端方向へのスワイプを検出すると、上記第１の表示情報の入力を受け付ける第１の表示情報入力画面を表示し、上記表示部の一端方向へのスワイプを検出すると、上記第２の表示情報の入力を受け付ける第２の表示情報入力画面を表示する、
ことを特徴とする通信端末装置。
【請求項７】
第１の表示情報および上記第１の表示情報とは異なる第２の表示情報を供給するサーバ装置の供給方法であって、
上記第１の表示情報および上記第２の表示情報をそれぞれ一つの時系列に沿って表示可能な表示データを生成する生成ステップであって、上記第１の表示情報を上記時系列に沿った一端に寄せて表示し、上記第２の表示情報を上記一端とは異なる上記時系列に沿った他端に寄せて表示可能な表示データを生成する生成ステップと、
上記生成ステップにおいて生成した上記表示データを送信する送信ステップと、を含み、
上記生成ステップにおいて、上記一つの時系列に沿った一端側に上記第１の表示情報の入力を受け付ける第１の表示情報入力画面を表示し、上記一つの時系列に沿った他端側に上記第２の表示情報の入力を受け付ける第２の表示情報入力画面を表示可能な表示データを生成する、
ことを特徴とする供給方法。
【請求項８】
表示部と、上記表示部に重ねて設けられ、ユーザによるタッチ操作を検出するタッチパネルとを備えた通信端末装置の表示方法であって、
第１の表示情報および上記第１の表示情報とは異なる第２の表示情報をそれぞれ一つの時系列に沿って上記表示部に表示する表示ステップであって、上記第１の表示情報を上記表示部の一端に寄せて表示し、上記第２の表示情報を上記一端とは異なる上記表示部の他端に寄せて表示する表示ステップを含み、
上記表示ステップにおいて、上記タッチパネルによって上記表示部の他端方向へのスワイプが検出されると、上記第１の表示情報の入力を受け付ける第１の表示情報入力画面を表示し、上記表示部の一端方向へのスワイプが検出されると、上記第２の表示情報の入力を受け付ける第２の表示情報入力画面を表示する、
ことを特徴とする表示方法。
【請求項９】
コンピュータを請求項５に記載のサーバ装置として動作させるためのプログラムであって、上記コンピュータを上記サーバ装置の各手段として機能させるプログラム。
【請求項１０】
コンピュータを請求項６に記載の通信端末装置として動作させるためのプログラムであって、上記コンピュータを上記通信端末装置の各手段として機能させるプログラム。
【請求項１１】
請求項９または１０に記載のプログラムを記録したコンピュータ読み取り可能な記録媒体。
【発明の詳細な説明】
【技術分野】
【０００１】
本発明は、表示システム、サーバ装置、通信端末装置、サーバ装置における供給方法、および、通信端末装置における表示方法に関するものである。また、サーバ装置および通信端末装置としてコンピュータを動作させるためのプログラム、及び、そのようなプログラムが記録された記録媒体に関するものである。
【背景技術】
【０００２】
従来、ユーザの予定を示す予定情報、および、ユーザが他のユーザとの間で送受信を行ったメールなどのメッセージを示す伝言情報などといった、異なる表示情報を１つの画面に表示することはなかった。そのため、両者を見比べながら、各表示情報に関する入力を行いたい場合には、それぞれ別々に画面やウィンドウを表示させた上で、両者を交互に見比べた上で、入力を行わなければならなかった。
【０００３】
このような問題に対して、例えば、下掲の特許文献１に記載の技術などが提案されている。特許文献１には、種類の異なるコンテンツ（異なる表示情報）を同じ画面において一つの時系列上に表示する情報処理装置が開示されている。
【０００４】
しかし、特許文献１に記載の情報処理装置は、単に、アイコンのみ、または、各情報の内容を示すアウトラインおよびアイコンのみによって１つの画面に異なる表示情報を表示する技術であり、表示された表示情報の各々に関する入力を受け付けることはできない。
【０００５】
一方、下掲の特許文献２には、ユーザの入力を受け付けるために、スライド操作によるユーザ操作（いわゆる、スワイプ）を認識することで、ユーザ操作に対応した端末動作を行う入力装置が開示されている。
【先行技術文献】
【特許文献】
【０００６】
【特許文献１】特開２００７−２９９２９６号公報（２００７年１１月１５日公開）
【特許文献２】特開２００５−０８２０８６号公報（２００５年３月３１日公開）
【発明の概要】
【発明が解決しようとする課題】
【０００７】
しかし、特許文献２に記載の入力装置では、ユーザが入力装置に所定の動作をさせるために、どのようなスライド操作が必要かを記憶していなければならず、ユーザの負担が増加してしまっていた。また、例えば特許文献１に記載の技術のように、異なる表示情報が１つの画面に表示されている場合に、さらに操作性が低下し、ユーザがどのようなスライド操作を行えばよいか迷ってしまうため、ユーザが意図した入力を行い難いという問題があった。
【０００８】
本発明は、上記の課題に鑑みてなされたものであり、その目的は、異なる表示情報が混同して表示されている場合であっても、ユーザが迷うことなくそれぞれの表示情報に関する入力を行うことができる表示システムを提供することにある。
【課題を解決するための手段】
【０００９】
本発明の一態様に係る表示システムは、上記の課題を解決するために、表示部と、上記表示部に重ねて設けられ、ユーザによるタッチ操作を検出するタッチパネルとを備える通信端末装置と、第１の表示情報および上記第１の表示情報とは異なる第２の表示情報を上記通信端末装置に供給するサーバ装置と、を備えた表示システムであって、上記通信端末装置は、上記第１の表示情報および上記第２の表示情報をそれぞれ一つの時系列に沿って上記表示部に表示する表示手段であって、上記第１の表示情報を上記表示部の一端に寄せて表示し、上記第２の表示情報を上記一端とは異なる上記表示部の他端に寄せて表示する表示手段を備え、上記表示手段は、上記タッチパネルにおいて、上記表示部の他端方向へのスワイプを検出すると、上記第１の表示情報に関する入力を受け付ける第１の表示情報入力画面を表示し、上記表示部の一端方向へのスワイプを検出すると、上記第２の表示情報に関する入力を受け付ける第２の表示情報入力画面を表示する、ことを特徴としている。
【００１０】
上記の構成によれば、上記表示システムは、上記第１の表示情報と上記第２の表示情報とを、上記通信端末装置の備える上記表示部の異なる端に寄った状態で表示する。これによって、上記表示システムは、上記第１の表示情報と上記第２の表示情報とを、上記通信端末装置の備える上記表示部に、高い視認性を持たせた上で一つの時系列で表示することができる。したがって、ユーザは、表示されている情報が、上記表示部のどちらの端に寄っているかによって、上記第１の表示情報であるか上記第２の表示情報であるかを容易に認識することができる。
【００１１】
また、上記表示手段は、上記タッチパネルにおいて上記表示部の他端方向へのスワイプ、すなわち、上記第１の表示情報を上記表示部の一端から他端に向かう方向へ移動させるユーザ操作が検出されると、上記第１の表示情報入力画面を表示する。また、上記表示手段は、上記タッチパネルにおいて上記表示部の一端方向へのスワイプ、すなわち、上記第２の表示情報を上記表示部の他端から一端に向かう方向へ移動させるユーザ操作が検出されると、上記第２の表示情報入力画面を表示する。
【００１２】
つまり、上記表示手段は、上記タッチパネルにおいて検出したスワイプの開始点側に寄せて表示されている表示情報（上記第１または第２表示情報）に関する入力を受け付ける表示情報入力画面（上記第１または第２の表示情報入力画面）を表示する。
【００１３】
これによって、ユーザは、上記表示部に異なる表示情報が混同して表示されている場合であっても、各表示情報に関する入力を受け付ける表示情報入力画面を、直感的に表示することができる。したがって、ユーザは、異なる表示情報が混同して表示されている場合であっても、迷うことなく、それぞれの表示情報に関する入力を行うことができる。
【００１４】
本発明の一態様に係る表示システムにおいて、上記表示手段は、さらに、上記第１の表示情報入力画面において上記第１の表示情報の一部を表示し、上記第２の表示情報入力画面において上記第２の表示情報の一部をする、ことが好ましい。
【００１５】
上記の構成によれば、上記表示手段は、上記第１または第２の表示情報の一部を、それぞれに関する入力を受け付ける入力画面と共に表示する。これによって、ユーザは、上記第１または第２の表示情報入力画面において、それぞれに対応する表示情報の一部を見ながら、つまり、過去に入力した第１または第２の表示情報を確認しながら、それぞれに関する入力を行うことができる。
【００１６】
本発明の一態様に係る表示システムにおいて、上記表示手段は、さらに、上記第１の表示情報を示す第１のアイコンを、上記第１の表示情報と共に上記表示部の一端に寄せて表示し、上記第２の表示情報を示す第２のアイコンを、上記第２の表示情報と共に上記表示部の他端に寄せて表示する、ことが好ましい。
【００１７】
上記の構成によれば、上記表示部における、上記第１のアイコンの表示位置を上記第１の表示情報の寄せられる上記表示部の一端に統一し、上記第２のアイコンの表示位置を上記第２の表示情報の寄せられる上記表示部の他端に統一することができる。このように、上記第１および第２のアイコンの表示位置をそれぞれ統一することによって、上記第１の表示情報および上記第２の表示情報のそれぞれの視認性をさらに高めることができる。
【００１８】
したがって、ユーザは、上記表示部に表示されているアイコンがどちらの端に寄っているかによって、上記表示部に表示されている情報が上記第１の表示情報であるか上記第２の表示情報であるかを容易に認識することができる。
【００１９】
本発明の一態様に係る表示システムにおいて、上記表示手段は、さらに、上記第１の表示情報入力画面において上記第１のアイコンを上記第１の表示情報の一部として表示し、上記第２の表示情報入力画面において上記第２のアイコンを上記第２の表示情報の一部として表示する、ことが好ましい。
【００２０】
上記の構成によれば、上記表示手段は、上記第１または第２の表示情報の一部として、上記第１または第２のアイコンをそれぞれに関する入力を受け付ける入力画面と共に表示する。これによって、ユーザは、上記第１または第２の表示情報入力画面において、上記第１または第２の表示情報に対応するアイコンを確認しながら、それぞれに関する入力を行うことができる。
【００２１】
本発明の一態様に係るサーバ装置は、上記の課題を解決するために、第１の表示情報および上記第１の表示情報とは異なる第２の表示情報をそれぞれ一つの時系列に沿って表示可能な表示データを生成する生成手段であって、上記第１の表示情報を上記一つの時系列に沿った一端に寄せて表示し、上記第２の表示情報を上記一端とは異なる上記一つの時系列に沿った他端に寄せて表示可能な表示データを生成する生成手段と、上記表示データを送信する送信手段と、を備え、上記生成手段は、上記一つの時系列に沿った一端側に上記第１の表示情報の入力を受け付ける第１の表示情報入力画面を表示し、上記一つの時系列に沿った他端側に上記第２の表示情報の入力を受け付ける第２の表示情報入力画面を表示可能な表示データを生成する、ことを特徴としている。
【００２２】
上記の構成によれば、上記サーバ装置は、上記第１の表示情報と上記第２の情報とを一つの表示画面の同じ時系列上に高い視認性を持たせた上で表示することのできる表示データを提供することができる。
【００２３】
また、上記サーバ装置は、上記一つの時系列に沿った一端側に上記第１の表示情報入力画面を表示し、上記一つの時系列に沿った他端側に上記第２の表示情報入力画面を表示可能な表示データを生成する。これにより、上記表示データを上記サーバ装置から取得した装置は、上記第１および第２の表示情報入力画面を、それぞれ上記第１および上記第２の表示情報の表示されている側に表示することができる。
【００２４】
したがって、上記サーバ装置は、異なる表示情報を識別可能に表示することができる共に、各表示情報に関する入力を受け付ける入力画面をユーザが直感的に表示することのできる表示データを提供することができる。これによって、ユーザは、異なる表示情報が混同して表示されている場合であっても、迷うことなく、それぞれの表示情報に関する入力を行うことができる。
【００２５】
本発明の一態様に係る通信端末装置は、上記の課題を解決するために、表示部と、上記表示部に重ねて設けられ、ユーザによるタッチ操作を検出するタッチパネルと、第１の表示情報および上記第１の表示情報とは異なる第２の表示情報をそれぞれ一つの時系列に沿って上記表示部に表示する表示手段であって、上記第１の表示情報を上記表示部の一端に寄せて表示し、上記第２の表示情報を上記一端とは異なる上記表示部の他端に寄せて表示する表示手段と、を備え、上記表示手段は、上記タッチパネルにおいて、上記表示部の他端方向へのスワイプを検出すると、上記第１の表示情報の入力を受け付ける第１の表示情報入力画面を表示し、上記表示部の一端方向へのスワイプを検出すると、上記第２の表示情報の入力を受け付ける第２の表示情報入力画面を表示する、ことを特徴としている。
【００２６】
上記の構成によれば、上記通信端末装置は、上記表示手段によって、上記第１の表示情報と上記第２の表示情報とを上記表示部の同じ時系列上に高い視認性を持たせた上で表示することができる。これによって、上記通信端末装置は、異なる表示情報を識別可能に表示することができる。
【００２７】
また、上記表示手段は、上記タッチパネルにおいて検出したスワイプの開始点側に寄せて表示されている表示情報（上記第１または第２表示情報）に関する入力を受け付ける表示情報入力画面（上記第１または第２の表示情報入力画面）を表示する。これによって、ユーザは、上記表示部に異なる表示情報が混同して表示されている場合であっても、各表示情報に関する入力を受け付ける表示情報入力画面を、直感的に表示することができる。したがって、ユーザは、異なる表示情報が混同して表示されている場合であっても、迷うことなく、それぞれの表示情報に関する入力を行うことができる。
【００２８】
本発明の一態様に係るサーバ装置の供給方法は、上記の課題を解決するために、第１の表示情報および上記第１の表示情報とは異なる第２の表示情報を供給するサーバ装置の供給方法であって、上記第１の表示情報および上記第２の表示情報をそれぞれ一つの時系列に沿って表示可能な表示データを生成する生成ステップであって、上記第１の表示情報を上記時系列に沿った一端に寄せて表示し、上記第２の表示情報を上記一端とは異なる上記時系列に沿った他端に寄せて表示可能な表示データを生成する生成ステップと、上記生成ステップにおいて生成した上記表示データを送信する送信ステップと、を含み、上記生成ステップにおいて、上記一つの時系列に沿った一端側に上記第１の表示情報の入力を受け付ける第１の表示情報入力画面を表示し、上記一つの時系列に沿った他端側に上記第２の表示情報の入力を受け付ける第２の表示情報入力画面を表示可能な表示データを生成する、ことを特徴としている。
【００２９】
上記の構成によれば、上記供給方法は、上述したサーバ装置の奏する効果と同様の効果を奏する。
【００３０】
本発明の一態様に係る通信端末装置の表示方法は、上記の課題を解決するために、表示部と、上記表示部に重ねて設けられ、ユーザによるタッチ操作を検出するタッチパネルとを備えた通信端末装置の表示方法であって、第１の表示情報および上記第１の表示情報とは異なる第２の表示情報をそれぞれ一つの時系列に沿って上記表示部に表示する表示ステップであって、上記第１の表示情報を上記表示部の一端に寄せて表示し、上記第２の表示情報を上記一端とは異なる上記表示部の他端に寄せて表示する表示ステップを含み、上記表示ステップにおいて、上記タッチパネルによって上記表示部の他端方向へのスワイプが検出されると、上記第１の表示情報の入力を受け付ける第１の表示情報入力画面を表示し、上記表示部の一端方向へのスワイプが検出されると、上記第２の表示情報の入力を受け付ける第２の表示情報入力画面を表示する、ことを特徴としている。
【００３１】
上記の構成によれば、上記表示方法は、上述した通信端末装置の奏する効果と同様の効果を奏する。
【００３２】
また、コンピュータを本発明の一態様に係るサーバ装置として動作させるためのプログラムであって、上記コンピュータを上記サーバ装置の各手段として機能させるプログラム、および、コンピュータを本発明の一態様に係る通信端末装置として動作させるためのプログラムであって、上記コンピュータを上記通信端末装置の各手段として機能させるプログラムも、本発明の範疇に含まれる。
【００３３】
さらに、それらのプログラムを記録したコンピュータ読み取り可能な記録媒体も、本発明の範疇に入る。
【００３４】
なお、ある着目した請求項に記載された構成と、その他の請求項に記載された構成との組み合わせが、その着目した請求項で引用された請求項に記載された構成との組み合わせのみに限られることはなく、本発明の目的を達成できる限り、その着目した請求項で引用されていない請求項に記載された構成との組み合わせが可能である。
【発明の効果】
【００３５】
本発明の一態様に係る表示システムは、上記の課題を解決するために、表示部と、上記表示部に重ねて設けられ、ユーザによるタッチ操作を検出するタッチパネルとを備える通信端末装置と、第１の表示情報および上記第１の表示情報とは異なる第２の表示情報を上記通信端末装置に供給するサーバ装置と、を備えた表示システムであって、上記通信端末装置は、上記第１の表示情報および上記第２の表示情報をそれぞれ一つの時系列に沿って上記表示部に表示する表示手段であって、上記第１の表示情報を上記表示部の一端に寄せて表示し、上記第２の表示情報を上記一端とは異なる上記表示部の他端に寄せて表示する表示手段を備え、上記表示手段は、上記タッチパネルにおいて、上記表示部の他端方向へのスワイプを検出すると、上記第１の表示情報に関する入力を受け付ける第１の表示情報入力画面を表示し、上記表示部の一端方向へのスワイプを検出すると、上記第２の表示情報に関する入力を受け付ける第２の表示情報入力画面を表示する、ことを特徴としている。
【００３６】
これによって、ユーザは、上記表示部に異なる表示情報が混同して表示されている場合であっても、各表示情報に関する入力を受け付ける表示情報入力画面を、直感的に表示することができる。したがって、ユーザは、異なる表示情報が混同して表示されている場合であっても、迷うことなく、それぞれの表示情報に関する入力を行うことができる。
【図面の簡単な説明】
【００３７】
【図１】本発明の一実施形態に係る情報共有システムの構成の概要を示すブロック図である。
【図２】伝言情報の有するデータ構造の一例を示す図である。
【図３】データ所有者情報に関連付けられている情報を示すデータ所有者情報テーブルの一例を示す図である。
【図４】予定情報の有するデータ構造の一例を示す図である。
【図５】広告情報の有するデータ構造の一例を示す図である。
【図６】本発明の一実施形態に係る通信端末装置の備える表示部において予定情報および伝言情報を一つの時系列上に表示した、表示画面の一例を示す図である。
【図７】本発明の一実施形態に係る通信端末装置の備える表示部において予定情報、伝言情報および広告情報を一つの時系列上に表示した、表示画面の一例を示す図である。
【図８】本発明の一実施形態に係る情報共有システムの備えるサーバ装置における表示データ生成処理の流れを示すフローチャートである。
【図９】本発明の一実施形態に係る情報共有システムの備えるサーバ装置における表示情報取得処理のうち、伝言・広告情報取得処理の流れを示すフローチャートである。
【図１０】本発明の一実施形態に係る情報共有システムの備えるサーバ装置における表示情報取得処理のうち、予定情報取得処理の流れを示すフローチャートである。
【図１１】本発明の一実施形態に係る情報共有システムの備えるサーバ装置における表示情報並び替え処理の流れを示すフローチャートである。
【図１２】本発明の一実施形態に係る情報共有システムの備えるサーバ装置における表示情報整理処理の流れを示すフローチャートである。
【図１３】本発明の一実施形態に係る通信端末装置の備える表示部に表示される伝言情報入力画面の一例を示す図であり、（ａ）は、画面を左にスワイプした際の表示画面の一例を示し、（ｂ）は、画面のスワイプによって表示される伝言情報入力画面の一例を示している。
【図１４】本発明の一実施形態に係る通信端末装置の備える表示部に表示される予定情報入力画面の一例を示す図であり、（ａ）は、画面を右にスワイプした際の表示画面の一例を示し、（ｂ）は、画面のスワイプによって表示される予定情報入力画面の一例を示している。
【図１５】本発明の一実施形態に係る情報共有システムの備える通信端末装置における入力画面表示処理の流れを示すフローチャートである。
【図１６】本発明の一変形例に係る通信端末装置の備える表示部に表示される予定情報入力画面の一例を示す図であり、（ａ）は、画面を左方向にスワイプした際の表示画面の一例を示し、（ｂ）は、画面のスワイプによって表示される予定情報入力画面の一例を示している。
【図１７】本発明の一変形例に係る通信端末装置の備える表示部に表示される伝言情報入力画面の一例を示す図であり、（ａ）は、伝言情報をタッチした際の表示画面の一例を示し、（ｂ）は、伝言情報入力画面の一例を示している。
【図１８】異なる２つの表示情報が仕事に関する伝言情報およびプライベートに関する伝言情報である場合の表示画面の一例を示す図である。
【図１９】異なる２つの表示情報が仕事に関する予定情報およびプライベートに関する予定情報である場合の表示画面の一例を示す図である。
【図２０】本発明の他の変形例に係る通信端末装置の表示部に表示される、広告情報を含む表示画面の一例を示す図である。
【図２１】本発明の他の変形例に係る通信端末装置の備える表示部において予定情報および伝言情報を一つの時系列上に表示した、表示画面の一例を示す図である。
【図２２】本発明の他の変形例に係る通信端末装置の備える表示部において予定情報、伝言情報、および広告情報を一つの時系列上に表示した、表示画面の一例を示す図である。
【発明を実施するための形態】
【００３８】
本発明に係る情報共有システム（表示システム）の一実施形態について、図１から図１２を参照して説明する。但し、この実施形態に記載されている構成は、特に特定的な記載がない限り、この発明の範囲をそれのみに限定する趣旨ではなく、単なる説明例に過ぎない。
【００３９】
〔情報共有システムの構成〕
本実施形態に係る情報共有システムについて、図１を参照して説明する。図１は、本実施形態に係る情報共有システム１０の構成の概要を示すブロック図である。
【００４０】
図１に示すように、情報共有システム１０は、サーバ装置１００、及び、通信端末装置２００を備えている。また、サーバ装置１００と通信端末装置２００とは、ネットワーク３００を介して通信可能に接続されている。
【００４１】
なお、図１では、通信端末装置２００を１つだけ図示しているが、以下では、情報共有システム１０に通信端末装置２００の他にも通信端末装置が設けられている構成を例に挙げて説明する。なお、本実施形態はこれに限定されるものではなく、情報共有システム１０に通信端末装置２００が１だけ設けられていてもよい。
【００４２】
〔サーバ装置の構成〕
まず、情報共有システム１０に備えられているサーバ装置１００について、図１を参照して説明する。図１に示すように、サーバ装置１００は、制御部１０１（生成手段）、通信部（送信手段）１０２、及び、記憶部１０３を備えている。
【００４３】
（制御部）
制御部１０１は、サーバ装置１００の備える各部を統括的に制御する。また、制御部１０１は、記憶部１０３に格納されている異なる２つの表示情報をそれぞれ一つの時系列に沿った異なる側に寄せて表示可能な表示データを生成する。具体的には、制御部１０１は、異なる２つの表示情報をそれぞれ一つの時系列に沿って表示可能な表示データであって、第１の表示情報を時系列に沿った一端に寄せて表示し、第１の表示情報とは異なる第２の表示情報を一端とは異なる一つの時系列に沿った他端に寄せて表示可能な表示データを生成する。
【００４４】
なお、以下では、異なる２つの表示情報が伝言情報（第１の表示情報）および予定情報（第２の表示情報）である場合を例に挙げて説明するが、本実施形態はこれに限定されるものではない。例えば、異なる２つの表示情報として、仕事に関する伝言情報およびプライベートに関する伝言情報、並びに、仕事に関する予定情報およびプライベートに関する予定情報などを挙げることができる。また、異なる２つの表示情報の他の例として、あるユーザとの間で送受信を行った伝言情報、および、あるユーザとは異なる他のユーザとの間で送受信を行った伝言情報などを挙げることもできる。
【００４５】
ここで、予定情報は、例えば、通信端末装置２００を利用するユーザや、他の通信端末装置を利用するユーザのスケジュール（予定）などを示している。また、伝言情報は、例えば、通信端末装置２００を利用するユーザが他の通信端末装置を利用するユーザとの間で送受信を行ったメールなどのメッセージ（伝言）などを示している。なお、予定情報、伝言情報、および、表示データを生成する処理（表示データ生成処理）の詳細については、図面を変えて後述する。
【００４６】
（通信部）
通信部１０２は、ネットワーク３００を介して通信端末装置２００から表示データ生成指示を示す信号を受信する。また、通信部１０２は、制御部１０１からの指示に基づき、ネットワーク３００を介して通信端末装置２００に表示データ（すなわち、伝言情報および予定情報）を送信する。なお、表示データ生成指示の詳細については、後述する。
【００４７】
通信部１０２は、ネットワーク３００に対して無線接続されていてもよいし、有線接続されていてもよい。
【００４８】
（記憶部）
記憶部１０３は、図１に示すように、伝言情報を記憶する伝言情報記憶部１０３ａ、予定情報を記憶する予定情報記憶部１０３ｂ、及び、広告情報を記憶する広告情報記憶部１０３ｃを備えている。
【００４９】
広告情報は、例えば、スーパーなどから送られる広告および宣伝などの情報を示している。
【００５０】
〔データ構造〕
ここで、図２から図５を参照して、伝言情報記憶部１０３ａ、予定情報記憶部１０３ｂ、および、広告情報記憶部１０３ｃの各々に格納されている伝言情報、予定情報、および、広告情報について説明する。
【００５１】
図２は、伝言情報記憶部１０３ａに記憶されている伝言情報の有するデータ構造の一例を示す図である。図３は、データ所有者情報に関連付けられている情報を示すデータ所有者情報テーブルの一例を示す図である。図４は、予定情報記憶部１０３ｂに記憶されている予定情報の有するデータ構造の一例を示す図である。図５は、広告情報記憶部１０３ｃに記憶されている広告情報の有するデータ構造の一例を示す図である。
【００５２】
（伝言情報）
図２に示すように、伝言情報には、データ通し番号、データ所有者情報、基準日付、要素因子、および、データ内容がそれぞれ関連付けられている。
【００５３】
データ通し番号は、伝言情報が伝言情報記憶部１０３ａに格納された順番を示している。データ所有者情報は、伝言情報記憶部１０３ａに格納された伝言情報を入力したユーザを示している。
【００５４】
また、データ所有者情報は、図３に示すように、データ所有者情報テーブルにおいて、所有者名、画像リンク、および、関連情報と関連付けられている。図３に示すように、データ所有者情報が「００１」である場合には、所有者名は「パパ」であり、「００２」である場合には、所有者名は「ママ」である。
【００５５】
画像リンクの示す画像は、例えば、伝言情報および予定情報などが通信端末装置２００に表示される際に、アイコンとして用いることができる。なお、図３に示すデータ所有者情報テーブルの一例では、関連情報には特に情報が登録されていないが、例えば、データ所有者の生年月日などが登録されていてもよい。
【００５６】
要素因子は、伝言情報記憶部１０３ａに格納されている情報の種類を示している。図２に示すように、伝言情報記憶部１０３ａに格納されている情報には、何れも、格納されている情報が伝言（メッセージ）であることを示す要素因子「１」が関連付けられている。
【００５７】
基準日付は、ユーザが伝言情報を入力した日付および時刻を示している。また、データ内容は、ユーザが入力した伝言の具体的な内容を示している。
【００５８】
（予定情報）
図４に示すように、予定情報には、データ通し番号、データ所有者情報、基準日付、周期因子、および、データ内容がそれぞれ関連付けられている。
【００５９】
データ通し番号は、予定情報が予定情報記憶部１０３ｂに格納された順番を示している。データ所有者情報は、予定情報記憶部１０３ｂに格納された予定情報を入力したユーザを示している。また、データ所有者情報は、図３に示すように、データ所有者情報テーブルにおいて、所有者名、画像リンク、および、関連情報と関連付けられている。
【００６０】
周期因子は、予定情報記憶部１０３ｂに格納されている情報の種類を示している。図４に示すように、予定情報記憶部１０３ｂに格納されている情報のうち、１回限りの予定を示す予定情報には、１回限りの予定であることを示す周期因子「２」が関連付けられている。また、毎週の予定を示す予定情報には、毎週の予定であることを示す周期因子「４」が関連付けられている。
【００６１】
以降では、予定情報のうち、毎週の予定である周期因子が関連付けられている予定情報を、繰返し予定情報とも呼称する。なお、繰返し予定情報は、毎週の予定に限られず、例えば、毎月の予定、毎年の予定、隔週の予定などであってもよい。
【００６２】
基準日付は、予定情報が１回限りの予定を示す情報である場合には、ユーザが入力した予定情報の示す予定が行われる日付および時刻を示している。また、基準日付は、予定情報が毎週の予定を示す情報である場合には、予定情報の示す予定が行われる日付を示している。データ内容は、ユーザが入力した予定の具体的な内容を示している。
【００６３】
（広告情報）
図５に示すように、広告情報には、データ通し番号、データ所有者情報、基準日付、要素・周期因子、および、データ内容がそれぞれ関連付けられている。
【００６４】
データ通し番号は、広告情報が広告情報記憶部１０３ｃに格納された順番を示している。データ所有者情報は、広告情報記憶部１０３ｃに格納された広告情報を入力したユーザを示している。また、データ所有者情報は、図３に示すように、データ所有者情報テーブルにおいて、所有者名、画像リンク、および、関連情報と関連付けられており、データ所有者情報が「００３」である場合には、所有者名は「○○青果店」である。
【００６５】
要素・周期因子は、広告情報記憶部１０３ｃに格納されている情報の種類を示している。図５に示すように、広告情報記憶部１０３ｃに格納されている情報のうち、１回限りの広告を示す情報には、１回限りの広告であることを示す要素因子「３」が関連付けられている。また、毎週の広告を示す情報には、毎週の広告であることを示す周期因子「４」が関連付けられている。
【００６６】
基準日付は、広告情報が１回限りの広告を示す広告情報である場合には、ユーザが広告入力した日付および時刻を示している。また、広告情報が毎週の広告を示す情報である場合には、基準日付は、その広告の内容が行われる日付を示している。データ内容は、ユーザが入力した広告の具体的な内容を示している。
【００６７】
なお、図４において予定情報が毎週の予定を示す情報である場合、および、図５において広告情報が毎週の広告を示す情報である場合には、基準日付が、その日付のみを示している構成を例に挙げて説明したが、これに限定されるものではない。予定情報が毎週の予定を示す情報である場合、および、広告情報が毎週の広告を示す情報である場合であっても、基準日付は、これらの情報が示す予定または広告が行われる日付および時刻を示していてもよい。
【００６８】
〔通信端末装置の構成〕
次に、情報共有システム１０に備えられている通信端末装置２００について、図１を参照して説明する。図１に示すように、通信端末装置２００は、表示部２０１、制御部（表示手段）２０２、通信部２０３、および、タッチパネル２０４を備えている。
【００６９】
（表示部）
表示部２０１は、予定情報、伝言情報、および、広告情報などを表示する。
【００７０】
また、表示部２０１は、ユーザの入力操作を受け付けるユーザインターフェースなどを表示する。ユーザインターフェースとしては、例えば、予定情報を入力する予定情報入力画面であるユーザインターフェース、伝言情報を入力する伝言情報入力画面であるユーザインターフェースなどが挙げられるが、これに限定されるものではない。
【００７１】
（タッチパネル）
タッチパネル２０４は、表示部２０１に重ねて設けられ、例えば、静電容量の変化を検出することにより、表示部２０１に表示されるユーザインターフェースに対するユーザのタッチ操作を検出する。具体的には、タッチパネル２０４は、ユーザが指及びタッチペンなどで表示部２０１上の何れの領域（すなわち、タッチパネル２０４上の位置）にタッチしているかを、当該タッチパネル２０４上の静電容量の変化を検知することによって検出する。
【００７２】
なお、タッチパネル２０４は静電容量式に限られるものではなく、ユーザの表示部２０１へのタッチ操作を検出するものであれば、他の方式を用いたものであってもよい。
【００７３】
（制御部）
制御部２０２は、通信端末装置２００の備える各部を統括的に制御する。また、制御部２０２は、表示部２０１にユーザインターフェースなどを表示させる。さらに、制御部２０２は、タッチパネル２０４によって検出される、表示部２０１に表示されたユーザインターフェースに対するユーザの入力操作に従って、通信端末装置２００の各部を制御する。
【００７４】
また、制御部２０２は、伝言情報および予定情報を、それぞれ一つの時系列に沿った表示部２０１の異なる端に寄せて表示する。具体的には、制御部２０２は、伝言情報および予定情報をそれぞれ一つの時系列に沿って表示部２０１に表示する。このとき、制御部２０２は、伝言情報を表示部２０１の一端に寄せて表示し、予定情報を一端とは異なる表示部２０１の他端に寄せて表示する。
【００７５】
また、制御部２０２は、タッチパネル２０４における静電容量の変化などに基づき、ユーザによってタッチされた表示部２０１上の位置、および、ユーザの指などが離れた表示部２０１上の位置などを検出する。なお、以降では、ユーザによってタッチされた表示部２０１上の位置を、タッチ開始位置とも呼称し、ユーザの指などが離れた表示部２０１上の位置を、タッチ終了位置とも呼称する。
【００７６】
制御部２０２は、タッチ開始位置とタッチ終了位置とに基づいて、ユーザによるいわゆるスワイプを検出する。ここで、スワイプとは、タッチパネル２０４に例えば指やペンなどで触れた後に、タッチパネル２０４（表示部２０１）に触れたまま上下左右および斜めなどの方向に指やペンなどを移動させる入力動作を指す。
【００７７】
さらに、制御部２０２は、当該制御部２０２およびタッチパネル２０４によって検出されるユーザの入力操作にしたがって、伝言情報、および、予定情報などの入力を受け付ける。なお、伝言情報および予定情報の表示については、図面を変えて後述する。
【００７８】
（通信部）
通信部２０３は、制御部２０２からの指示に基づき、ネットワーク３００を介してサーバ装置１００に表示データ生成指示を示す信号を送信する。また、通信部２０３は、ネットワーク３００を介してサーバ装置１００から送信される表示データを受信する。
【００７９】
通信部２０３は、ネットワーク３００に対して無線接続されていてもよいし、有線接続されていてもよい。
【００８０】
〔表示画面〕
次に、通信端末装置２００の備える表示部２０１の表示画面の一例について、図６および図７を参照して説明する。図６は、本実施形態に係る通信端末装置２００の備える表示部２０１において予定情報および伝言情報を一つの時系列上に表示した、表示画面の一例を示す図である。図７は、本実施形態に係る通信端末装置２００の備える表示部２０１において予定情報、伝言情報、および広告情報を一つの時系列上に表示した、表示画面の一例を示す図である。
【００８１】
図６に示すように、表示部２０１における時系列方向は、当該表示部２０１の上側から下側に進む方向（ｙ軸負方向）である。また、図６に示すように、予定情報および伝言情報は、それぞれ表示部２０１の上側から下側に時系列順（つまり、時系列に沿って）に表示されている。
【００８２】
また、伝言情報は、表示部２０１の時系列に沿った一方の端（図６では、表示部２０１の左側（ｘ軸負方向））に寄せた状態で表示されている。一方、予定情報は、表示部２０１の時系列に沿った他の端（図６では、表示部２０１の右側（ｘ軸正方向））に寄せた状態で表示されている。なお、以降では、表示部２０１の左側に寄せた状態を、単に「左寄せ」とも記載し、表示部２０１の右側に寄せた状態を、単に「右寄せ」とも記載する。
【００８３】
この構成によれば、予定情報と伝言情報とが同じ画面上に表示されるため、予定情報と伝言情報とを見比べる際のユーザの利便性を高めることができる。例えば、ある伝言が、ある予定の予定時刻より前にやり取りされた伝言であるか、ある予定の予定時刻より後にやり取りされた伝言であるかを容易に認識することができる。
【００８４】
また、図７に示すように、通信端末装置２００の表示部２０１には、予定情報および伝言情報に加えて、さらに広告情報が表示されてもよい。
【００８５】
図７に示すように、伝言情報は表示部２０１に左寄せして表示され、予定情報は表示部２０１に右寄せして表示されている。また、広告情報は、表示部２０１において右寄せも左寄せもされておらず、時系列に沿った中央、つまり、表示部２０１のｘ軸方向の中央に表示されている。
【００８６】
また、図６および図７に示すように、伝言情報、予定情報および広告情報は、それぞれ、枠で囲まれた状態で、表示部２０１に表示されている。このように、伝言情報、予定情報および広告情報をそれぞれ枠で囲んで表示することにより、これらの情報が右寄せされているか、左寄せされているかを、ユーザが一目で認識することができるように表示することができる。
【００８７】
さらに、図６および図７において破線Ａに示すように、表示部２０１には、予定情報および伝言情報と同じ時系列上に、現在時刻が表示されている。これによって、表示部２０１に表示される予定情報の示す予定が、現在時刻よりも前の予定（すなわち、過去の予定）であるか、後の予定（すなわち、未来の予定）であるかを一目で認識することができる。
【００８８】
また、図６および図７に示すように、現在時刻は、表示部２０１の一つの時系列に沿った何れの端にも寄せることなく、時系列に沿った中央（つまり、表示部２０１のｘ軸方向の中央）に表示されている。
【００８９】
この構成によれば、通信端末装置２００は、現在時刻を、伝言情報および予定情報の何れとも識別可能に表示することができる。これによって、ユーザは、現在時刻と、伝言情報および予定情報とを、容易に見分けることができる。
【００９０】
なお、図６および図７に示す表示画面の一例では、伝言情報を示すアイコン（第１のアイコン）および予定情報を示すアイコン（第２のアイコン）を、伝言情報および予定情報と共に、表示部２０１の異なる端に寄せて表示している。
【００９１】
図６に示すように、伝言情報は、当該伝言情報を示すアイコンと共に、表示部２０１の時系列に沿った一方の端（図６では、表示部２０１の左側）に寄せた状態で表示されている。一方、予定情報は、当該予定情報を示すアイコンと共に、表示部２０１の時系列に沿った他の端（図６では、表示部２０１の右側）に寄せた状態で表示されている。
【００９２】
また、図６に示すように、伝言情報を示すアイコンは、左寄せされている伝言情報を囲む枠の中でさらに左寄せされた状態で表示されている。また、予定情報を表すアイコンは、右寄せされている予定情報を囲む枠の中でさらに右寄せされた状態で表示されている。
【００９３】
このように、左寄せされている伝言情報を示すアイコンを、伝言情報を表示する領域において最も左寄せして表示し、右寄せされている予定情報を示すアイコンを、予定情報を表示する領域において最も右寄せして表示する。これによって、表示部２０１における、伝言情報を示すアイコンの表示位置を左端に統一し、予定情報を示すアイコンの表示位置を右端に統一することができる。
【００９４】
上述のように、表示位置の統一されたアイコンを用いることによって、伝言情報と予定情報との視認性をさらに高めることができる。したがって、ユーザは、表示されているアイコンが表示部２０１のどちらの端に寄っているかによって、表示されている情報が上記伝言情報であるか上記予定情報であるかを容易に認識することができる。
【００９５】
また、図７に示すように、通信端末装置２００の表示部２０１には、予定情報および伝言情報に加えて、広告情報がさらに表示されている。このとき、広告情報は、図７に示すように、当該広告情報を示すアイコンと共に、表示部２０１の時系列に沿った中央に表示されている。
【００９６】
なお、図７では、広告情報を示すアイコンが広告情報を囲む枠の中で左寄せされている場合を表示画面の一例として示しているが、本実施形態はこれに限定されるものではない。例えば、広告情報を示すアイコンが広告情報を囲む枠の中で右寄せされている構成を採用してもよい。さらに、広告情報を囲む枠の中で、１回限りの広告を示す広告情報を示すアイコンが左寄せされ、毎週の広告を示す広告情報を示すアイコンが右寄せされている構成を採用してもよい。
【００９７】
また、図６および図７において破線Ａに示すように、表示部２０１には、予定情報および伝言情報と同じ時系列上に、現在時刻が表示されている。これによって、ユーザは、表示部２０１に表示される予定情報の示す予定が、現在時刻よりも前の予定（すなわち、過去の予定）であるか、後の予定（すなわち、未来の予定）であるかを一目で認識することができる。
【００９８】
さらに、図６および図７に示すように、現在時刻は、表示部２０１の一つの時系列に沿った何れの端にも寄せることなく、時系列に沿った中央に表示されている。
【００９９】
この構成によれば、通信端末装置２００は、現在時刻を、伝言情報および予定情報の何れとも識別可能に表示することができる。これによって、ユーザは、現在時刻と、伝言情報および予定情報とを、容易に見分けることができる。
【０１００】
また、図６および図７に示すように、表示部２０１には、「伝言」ボタン、および「予定」ボタンが表示されている。これらのボタンを表示することによって、図６および図７に示す表示画面を初めて見たユーザであっても、伝言情報および予定情報をどのように入力すればよいかを、認識し易くすることができる。
【０１０１】
〔表示処理〕
次に、本実施形態に係る情報共有システム１０における表示に関する処理について、図８から図１２を参照して説明する。
【０１０２】
（表示データ生成処理）
まず、情報共有システム１０の備えるサーバ装置１００における表示データ生成処理について、図８を参照して説明する。図８は、本実施形態に係る情報共有システム１０の備えるサーバ装置１００における表示データ生成処理の流れを示すフローチャートである。
【０１０３】
図８に示すように、本実施形態に係るサーバ装置１００は、まず、通信部１０２を介して通信端末装置２００から表示に関する要求を受信する（ステップＳ１０１）。ここで、表示に関する要求とは、通信端末装置２００の表示部２０１に表示に表示可能な表示データであって、予定情報および伝言情報をそれぞれ一つの時系列に沿った異なる側に寄せて表示可能な表示データの生成を指示する表示データ生成指示である。
【０１０４】
通信端末装置２００から表示に関する要求を受信すると、サーバ装置１００の備える制御部１０１は、記憶部１０３から伝言情報、予定情報および広告情報を取得する表示情報取得処理を実行する（ステップＳ１０２）。以降では、伝言情報、予定情報および広告情報をまとめて、表示情報とも記載する。なお、図６に示すように、通信端末装置２００に伝言情報および予定情報のみを表示する場合には、表示情報には、伝言情報および予定情報のみが含まれれば良い。
【０１０５】
表示情報取得処理を実行すると、制御部１０１は、記憶部１０３から取得した表示情報を時系列（一つの時系列上）に並び替える表示情報並び替え処理を実行する（ステップＳ１０３）。
【０１０６】
表示情報並び替え処理を実行すると、制御部１０１は、表示情報整理処理を実行し（ステップＳ１０４）、表示データを生成する。なお、本実施形態では、表示情報整理処理において、伝言情報を一つの時系列に沿った左寄せを行い、予定情報を一つの時系列に沿った右寄せを行うことで表示データを生成する構成を例に挙げて説明するが、これに限定されるものではない。例えば、表示情報整理処理において、一つの時系列に沿って、伝言情報を右寄せし、予定情報を左寄せする構成を採用することもできる。
【０１０７】
表示データを生成すると、サーバ装置１００は、通信部１０２を介して通信端末装置２００に対し、生成した表示データを送信し（ステップＳ１０５）、表示データ生成処理を終了する。
【０１０８】
なお、表示情報取得処理、表示情報並び替え処理、および、表示情報整理処理の詳細については、図面を変えて以下に説明する。
【０１０９】
（表示情報取得処理）
表示情報取得処理について、図９および図１０を参照して説明する。図９は、本実施形態に係る情報共有システム１０の備えるサーバ装置１００における表示情報取得処理のうち、伝言・広告情報取得処理の流れを示すフローチャートである。図１０は、本実施形態に係る情報共有システム１０の備えるサーバ装置１００における表示情報取得処理のうち、予定情報取得処理の流れを示すフローチャートである。
【０１１０】
表示情報取得処理の実行を開始すると、サーバ装置１００の備える制御部１０１は、まず、図９に示すように、伝言情報記憶部１０３ａおよび広告情報記憶部１０３ｃから伝言情報および広告情報を取得する伝言・広告情報取得処理を実行する。
【０１１１】
制御部１０１は、まず、取得する表示情報の時系列上の範囲（以降、取得対象期間とも記載する）を設定する（ステップＳ２０１）。現在時刻をＴ、取得対象期間の開始時刻をｔ１、終了時刻をｔ２とすると、取得対象期間は、（Ｔ−ｔ１）〜（Ｔ＋ｔ２）と表すことができる。
【０１１２】
なお、取得対象期間の開始時刻ｔ１および終了時刻ｔ２は、日付のみを設定してもよいし、時分まで設定してもよい。また、取得対象期間は、ユーザが通信端末装置２００を操作することによって設定してもよいし、サーバ装置１００の制御部１０１が自動で設定してもよい。
【０１１３】
抽出対象期間を設定すると、制御部１０１は、伝言情報記憶部１０３ａから、取得対象期間（Ｔ−ｔ１）〜（Ｔ＋ｔ２）内の伝言情報を取得する（ステップＳ２０２）。具体的には、制御部１０１は、伝言情報記憶部１０３ａに記憶されている伝言情報のうち、取得対象期間内の時刻が基準日付として関連付けられている伝言情報を、伝言情報記憶部１０３ａから抽出する。
【０１１４】
伝言情報を取得すると、制御部１０１は、広告情報記憶部１０３ｃから、取得対象期間（Ｔ−ｔ１）〜（Ｔ＋ｔ２）内の広告情報を取得する（ステップＳ２０３）。具体的には、制御部１０１は、広告情報記憶部１０３ｃに記憶されている広告情報のうち、取得対象期間内の時刻が基準日付として関連付けられている広告情報を、広告情報記憶部１０３ｃから抽出する。
【０１１５】
制御部１０１は、取得対象期間内の伝言情報および広告情報を取得すると、伝言・広告情報取得処理を終了する。
【０１１６】
伝言・広告情報取得処理が終了すると、制御部１０１は、次に、図１０に示すように、予定情報記憶部１０３ｂから予定情報を取得する予定情報取得処理を実行する。
【０１１７】
制御部１０１は、まず、予定情報記憶部１０３ｂから、予定情報のうち、現在時刻Ｔより前の繰返し予定情報であって最近の繰返し予定情報と、現在時刻Ｔより後の繰返し予定情報であって最近の繰返し予定情報とを、取得候補として抽出する（ステップＳ３０１）。つまり、制御部１０１は、予定情報記憶部１０３ｂから、現在時刻Ｔに最も近い基準日付が関連付けられている繰返し予定情報を取得候補として、現在時刻Ｔの前後から一つづつ抽出する。
【０１１８】
取得候補を抽出すると、制御部１０１は、抽出した取得候補、および、繰返し予定情報以外の予定情報から、取得対象期間（Ｔ−ｔ１）〜（Ｔ＋ｔ２）内の予定情報を取得する（ステップＳ３０２）。具体的には、予定情報記憶部１０３ｂに記憶されている予定情報および取得候補として抽出した繰返し予定情報のうち、取得対象期間内の時刻が基準日付として関連付けられている情報を、予定情報記憶部１０３ｂから抽出する。
【０１１９】
制御部１０１は、取得対象期間内の予定情報を取得すると、予定情報取得処理を終了する。
【０１２０】
なお、ここでは、伝言・広告情報取得処理を実行した後に予定情報取得処理を実行する場合を例に挙げて説明するが、これに限定されるものではない。例えば、予定情報取得処理を実行した後に伝言・広告情報取得処理を実行する構成を採用してもよい。この場合には、伝言・広告情報取得処理において行った取得対象期間の設定（ステップＳ２０１）を、予定情報取得処理において行えばよい。
【０１２１】
また、伝言・広告情報取得処理と予定情報取得処理とを並行して実行する構成を採用してもよい。この場合には、伝言・広告情報取得処理および予定情報取得処理を行う前に、取得対象期間を設定する処理（ステップＳ２０１）を実行すればよい。
【０１２２】
（表示情報並び替え処理）
次に、表示情報並び替え処理について、図１１を参照して説明する。図１１は、本実施形態に係る情報共有システム１０の備えるサーバ装置１００における表示情報並び替え処理の流れを示すフローチャートである。
【０１２３】
表示情報並び替え処理を開始すると、サーバ装置１００備える制御部１０１は、図１１に示すように、現在時刻Ｔを示す現在時刻情報Ｄｔを取得する（ステップＳ４０１）。
【０１２４】
現在時刻情報Ｄｔを取得すると、制御部１０１は、表示情報取得処理において取得した表示情報（伝言情報、予定情報および広告情報）と、現在時刻情報Ｄｔとを、時系列に並び替える（ステップＳ４０２）。
【０１２５】
具体的には、制御部１０１は、現在時刻情報Ｄｔの示す現在時刻Ｔよりも前（つまり、過去）の時刻の基準日付が関連付けられている表示情報を、現在時刻Ｔよりも上側（図６および図７におけるｙ軸正方向）に表示されるよう並び替える。制御部１０１は、基準日付と現在時刻Ｔとの差が大きい表示情報が、現在時刻Ｔからより離れた位置に表示されるよう並び替える。
【０１２６】
また、制御部１０１は、現在時刻情報Ｄｔの示す現在時刻Ｔよりも後（つまり、未来）の時刻の基準日付が関連付けられている表示情報を、現在時刻Ｔよりも下側（図６および図７におけるｙ軸負方向）に表示されるよう並び替える。制御部１０１は、基準日付と現在時刻Ｔとの差が大きい表示情報が、現在時刻Ｔからより離れた位置に表示されるよう並び替える。
【０１２７】
制御部１０１は、表示情報、および、現在時刻情報Ｄｔの並び替えが完了すると、表示情報並び替え処理を終了する。
【０１２８】
（表示情報整理処理）
次に、表示情報整理処理について、図１２を参照して説明する。図１２は、本実施形態に係る情報共有システム１０の備えるサーバ装置１００における表示情報整理処理の流れを示すフローチャートである。
【０１２９】
表示情報整理処理を開始すると、サーバ装置１００備える制御部１０１は、図１２に示すように、表示データの前段部分情報をテンポラリーファイルに出力する（ステップＳ５０１）。ここで、表示データの前段部分情報は、例えば、表示データを構成する前段部分の情報、および、ヘッダ情報などを含んでいる。
【０１３０】
また、テンポラリーファイルは、表示情報整理処理の各ステップにおいて出力される各情報を一時的に格納するファイルである。なお、ここでは、表示情報整理処理の各ステップにおいて情報がテンポラリーファイルに出力される構成を例に挙げて説明するが、本実施形態はこれに限定されるものではない。例えば、表示情報整理処理の各ステップにおいて、記憶部１０３に設けられた一時記憶部（不図示）に情報が出力される構成を採用してもよい。
【０１３１】
表示データの前段部分情報を出力すると、制御部１０１は、表示情報並び替え処理において並び替えた表示情報の前段部分情報をテンポラリーファイルに出力する（ステップＳ５０２）。ここで、表示情報の前段部分情報は、例えば、表示情報を囲う枠データが開始するという情報、表示情報の枠に関する情報、および、表示情報の枠に囲まれた領域の背景に関する情報などを含んでいる。
【０１３２】
表示情報の前段部分情報を出力すると、制御部１０１は、当該表示情報の示す情報が、伝言情報、予定情報、および、広告情報のうち、何れを示す情報であるかを判定する（ステップＳ５０３）。制御部１０１は、例えば、表示情報に関連付けられている要素因子（又は周期因子）に基づいて、ステップＳ５０３における判定を行えばよい。
【０１３３】
制御部１０１は、表示情報が伝言情報であると判定した場合（ステップＳ５０３において「伝言」）、伝言情報を左寄りに配置する（ステップＳ５０４ａ）。制御部１０１は、表示情報が予定情報であると判定した場合には（ステップＳ５０３において「予定」）、予定情報を右寄りに配置する（ステップＳ５０４ｂ）。また、制御部１０１は、表示情報が広告情報であると判定した場合には（ステップＳ５０３において「広告」）、広告情報を中央に配置する（ステップＳ５０４ｃ）。以降では、各表示情報を左寄り、右寄り、および、中央の何れかに配置することを、単に「配置位置を整理する」とも記載する。
【０１３４】
制御部１０１は、伝言情報を左寄りに配置すると、当該伝言情報に対応する画像をアイコンとして、当該伝言情報のさらに左側に配置する（ステップＳ５０５ａ）。また、制御部１０１は、予定情報を右よりに配置すると、当該予定情報に対応する画像をアイコンとして、当該予定情報のさらに右側に配置する（ステップＳ５０５ｂ）。なお、ここでは、予定情報を示すアイコンとして予定情報に対応する画像を例に挙げて説明するが、本実施形態はこれに限定されるものではなく、例えば、予定情報の関連付けられている基準日付の示す日付をアイコンとして表示する構成を採用することもできる。
【０１３５】
さらに、制御部１０１は、広告情報を中央に配置した場合には、当該広告情報に対応する画像をアイコンとして、当該広告情報の左側に配置する（ステップＳ５０５ｃ）。なお、ここでは、広告情報を示すアイコンを広告情報の左側に配置する構成を例に挙げて説明するが、本実施形態はこれに限定されるものではなく、例えば、広告情報の右側に配置する構成を採用することもできる。
【０１３６】
予定情報および予定情報を示すアイコンを右寄りに配置すると、制御部１０１は、配置した予定情報が、繰返し予定情報であるか否かを判定する（ステップＳ５０６）。なお、繰返し予定情報であるか否かの判定は、例えば、予定情報に関連付けられている周期因子に基づいて判定すればよい。
【０１３７】
予定情報が繰返し予定情報であると判定した場合（ステップＳ５０６においてＹＥＳ）、制御部１０１は、予定情報を囲む枠の中の右上に周期情報を配置する（ステップＳ５０７）。ここで、周期情報は、毎週の何曜日の予定であるかを示す情報を示している（例えば、図７において、繰返し予定情報である「燃えないゴミ」における「毎週月曜日」）。なお、周期情報はこれに限られるものではなく、例えば、毎月の何日の予定であるか、毎年の何月何日の予定であるかなどを示す情報であってもよい。
【０１３８】
伝言情報および伝言情報を示すアイコンを左寄りに配置した場合、広告情報および広告情報を示すアイコンを配置した場合、および、予定情報が繰返し予定情報でないと判定した場合（ステップＳ５０６においてＮＯ）、制御部１０１は、各情報を囲む枠の中の右上に日付情報を配置する（ステップＳ５０８）。なお、日付情報としては、各情報に関連付けられている基準日付を用いればよい。
【０１３９】
周期情報または日付情報を配置すると、制御部１０１は、表示情報の後段部分情報をテンポラリーファイルに出力する（ステップＳ５０９）。ここで、表示情報の後段部分情報は、例えば、当該表示情報が終了する旨を示す情報などを含んでいる。
【０１４０】
表示情報の後段部分情報を出力すると、制御部１０１は、表示情報並び替え処理において並び替えた全ての表示情報の配置位置を整理したか否かを判定する（ステップＳ５１０）。
【０１４１】
全ての表示情報の配置位置を整理していないと判定した場合（ステップＳ５１０においてＮＯ）、制御部１０１は、ステップＳ５０２からＳ５０９までの処理を実行する。つまり、制御部１０１は、全ての表示情報の配置位置を整理したと判定する（ステップＳ５０９においてＹＥＳ）まで、ステップＳ５０２からＳ５０９までの処理を繰り返す。
【０１４２】
全ての表示情報の配置位置を整理したと判定すると（ステップＳ５１０においてＹＥＳ）、制御部１０１は、表示データの後段部分情報をテンポラリーファイルに出力する（ステップＳ５１１）。ここで、表示情報の前段部分情報は、例えば、表示データ全体の最後を締める情報、および、フッタ情報などを含んでいる。
【０１４３】
表示データの後段部分情報を出力すると、制御部１０１は、テンポラリーファイルに出力された全ての情報を統合し、表示データを生成し（ステップＳ５１２）、表示情報整理処理を終了する。
【０１４４】
通信端末装置２００は、サーバ装置１００からネットワーク３００を介して送信される、上述の各処理によって生成された表示データを、通信部２０３によって受信する。
【０１４５】
表示データを受信すると、通信端末装置２００の備える制御部２０２は、受信した表示データに基づいて、表示部２０１に伝言情報および予定情報（場合によっては、さらに広告情報も）を表示する。
【０１４６】
上述の構成によれば、情報共有システム１０の備える通信端末装置２００を利用するユーザは、同じ情報共有システム１０の備える他の通信端末装置を利用するユーザとの間で、伝言情報および予定情報を共有することができる。
【０１４７】
なお、サーバ装置１００の備える制御部１０１において表示データを生成する構成を例に挙げて説明したが、本実施形態はこれに限定されるものではない。例えば、通信端末装置２００の備える制御部２０２において表示データを生成する構成を採用してもよい。
【０１４８】
この場合には、例えば、サーバ装置１００から伝言情報および予定情報を全て取得し、通信端末装置２００の備える制御部２０２によって表示情報取得処理、表示情報並び替え処理、および、表示情報整理処理を実行してもよい。
【０１４９】
また、サーバ装置１００と通信端末装置２００との協働によって表示データを生成する構成を採用してもよい。
【０１５０】
この場合には、例えば、サーバ装置１００の備える制御部１０１によって表示情報取得処理を実行し、通信端末装置２００の備える制御部２０２によって表示情報並び替え処理、および、表示情報整理処理を実行してもよい。また、サーバ装置１００の備える制御部１０１によって表示情報取得処理、および、表示情報並び替え処理を実行し、通信端末装置２００の備える制御部２０２によって表示情報整理処理を実行してもよい。
【０１５１】
〔入力画面〕
次に、通信端末装置２００の備える表示部２０１の表示情報入力画面の一例について、図１３および図１４を参照して説明する。図１３は、本実施形態に係る通信端末装置２００の備える表示部２０１に表示される伝言情報入力画面（第１の表示情報入力画面）の一例を示す図である。図１３（ａ）は、画面を右方向にスワイプした際の表示画面の一例を示し、（ｂ）は、画面のスワイプによって表示される伝言情報入力画面の一例を示している。
【０１５２】
図１４は、本実施形態に係る通信端末装置２００の備える表示部２０１に表示される予定情報入力画面（第２の表示情報入力画面）の一例を示す図である。図１４（ａ）は、画面を左方向にスワイプした際の表示画面の一例を示し、（ｂ）は、画面のスワイプによって表示される予定情報入力画面の一例を示している。
【０１５３】
図１３（ａ）に示すように、伝言情報および予定情報を表示した状態で、ユーザによる矢印Ｂ方向（右方向；ｘ軸正方向）へのスワイプを検出すると、制御部２０２は、表示部２０１の表示画面を右へスライドさせる。そして、制御部２０２は、図１３（ｂ）に示すように、伝言情報入力画面を表示する。
【０１５４】
また、図１４（ａ）に示すように、伝言情報および予定情報を表示した状態で、ユーザによる矢印Ｃ方向（左方向；ｘ軸負方向）へのスワイプを検出すると、制御部２０２は、表示部２０１の表示画面を左へスライドさせる。そして、制御部２０２は、図１４（ｂ）に示すように、予定情報入力画面を表示する。
【０１５５】
制御部２０２は、タッチパネル２０４によって検出される、表示部２０１に表示された伝言情報入力画面に基づいて行われるユーザのタッチ操作により、伝言情報に関する入力を受け付ける。また、制御部２０２は、タッチパネル２０４によって検出される、表示部２０１に表示された予定情報入力画面に基づいて行われるユーザのタッチ操作により、予定情報に関する入力を受け付ける。
【０１５６】
なお、制御部２０２は、表示部２０１の左端、すなわち、表示部２０１において伝言情報が寄せられて表示されていた端からスライドして現れるように伝言情報入力画面を表示してもよい。また、制御部２０２は、表示部２０１の右端、すなわち、表示部２０１において予定情報が寄せられて表示されていた端からスライドして現れるように予定情報入力画面を表示してもよい。もちろん、伝言情報入力画面および予定情報入力画面の表示方法は、これに限定されるものではなく、例えば、途中までスライドした表示画面と、伝言情報入力画面または予定情報入力画面とが切り替るように表示してもよい。
【０１５７】
また、図６に示す表示画面が表示されている状態で、タッチパネル２０４によって「伝言」ボタンが表示されている領域へのタッチ操作が検出されたとき、図１３（ｂ）に示す伝言情報入力画面を表示してもよい。このとき、制御部２０２は、タッチパネル２０４によって「伝言」ボタンへのタッチ操作が検出されると、表示画面を表示部２０１の右側へスライドさせることによって、伝言情報入力画面を表示させればよい。
【０１５８】
同様に、制御部２０２は、タッチパネル２０４によって「予定」ボタンへのタッチ操作が検出された場合には、表示画面を表示部２０１の左側へスライドさせることによって、予定情報入力画面を表示させればよい。
【０１５９】
これにより、通信端末装置２００のユーザは、次回から、表示部２０１の何れの方向にスワイプを行うことによって何れの入力画面を表示することができるか（すなわち、予定情報入力画面又は伝言情報入力画面のいずれが現れるか）を容易に理解することができる。
【０１６０】
〔入力画面表示処理〕
次に、本実施携帯に係る情報共有システム１０における表示情報入力画面の表示に関する処理（入力画面表示処理とも呼称する）について、図１５を参照して説明する。図１５は、本実施形態に係る情報共有システム１０の備える通信端末装置２００における入力画面表示処理の流れを示すフローチャートである。なお、ここでは、ユーザの指によってタッチ操作が行われる場合を例に挙げて説明するが、タッチ操作は、例えば、タッチペンなどによって行われてもよい。
【０１６１】
通信端末装置２００の有する制御部２０２は、表示部２０１がユーザによってタッチされたか否かを、タッチパネル２０４による検出に基づいて判定する（ステップＳ６０１）。なお、制御部２０２は、タッチパネル２０４によって表示部２０１がタッチされたことが検出されるまで、ステップＳ６０１の処理を繰り返す。
【０１６２】
タッチされたと判定した場合（ステップＳ６０１においてＹＥＳ）、すなわち、タッチパネル２０４によってユーザの指によるタッチ操作が検出された場合、制御部２０２は、表示部２０１上のタッチ開始位置を検出する（ステップＳ６０２）。
【０１６３】
タッチ開始位置を検出した後、タッチパネル２０４によって、タッチしたままの指のスライド操作が検出されると、制御部２０２は、検出されたスライド操作によってスライドした量だけ表示画面をスライドさせることにより、表示画面を変更する（ステップＳ６０４）。
【０１６４】
制御部２０２は、タッチしているユーザの指が表示部２０１から離れたか否かを判定する（ステップＳ６０４）。制御部２０２は、例えば、タッチパネル２０４によってタッチ操作が検出されなくなった場合に、ユーザの指が表示部２０１から離れたと判定すればよい。
【０１６５】
タッチしているユーザの指が表示部２０１から離れていないと判定した場合（ステップＳ６０４においてＮＯ）、制御部２０２は、ステップＳ６０３の処理を実行する。つまり、制御部２０２は、タッチしているユーザの指が表示部２０１から離れたと判定する（ステップＳ６０４においてＹＥＳ）まで、ステップＳ６０３からＳ６０４の処理を繰り返す。なお、制御部２０２は、例えば、タッチパネル２０４においてタッチ操作が検出されている間はユーザの指が離れていないと判定し、タッチパネル２０４においてタッチ操作が検出されなくなったときに、ユーザの指が離れたと判定すればよい。
【０１６６】
タッチしているユーザの指が表示部２０１から離れたと判定すると（ステップＳ６０４においてＹＥＳ）、制御部２０２は、表示部２０１上のタッチ終了位置を検出する（ステップＳ６０５）。
【０１６７】
タッチ終了位置を検出すると、制御部２０２は、タッチ開始位置からタッチ終了位置までのスワイプの距離である、タッチ操作の移動距離（以降、単に移動距離とも呼称する）の値が、所定の閾値以上であるか否かを判定する（ステップＳ６０６）。なお、閾値は、例えば、通信端末装置２００の備える記憶部（不図示）に格納されていればよい。
【０１６８】
移動距離が閾値以上であると判定すると（ステップＳ６０６においてＹＥＳ）、制御部２０２は、スワイプの方向が左方向（一端方向）であるか否かを判定する（ステップＳ６０７）。
【０１６９】
具体的には、制御部２０２は、表示部２０１におけるタッチ終了位置がタッチ開始位置よりも左側（例えば、図１３においてタッチ終了位置がタッチ開始位置よりもｘ軸負方向）である場合に、スワイプの方向が左方向であると判定すればよい。また、制御部２０２は、表示部２０１におけるタッチ終了位置がタッチ開始位置よりも右側（例えば、図１３においてタッチ終了位置がタッチ開始位置よりもｘ軸正方向）である場合に、スワイプの方向が右方向（他端方向）であると判定すればよい。
【０１７０】
スワイプの方向が左方向であると判定すると（ステップＳ６０７においてＹＥＳ）、制御部２０２は、表示部２０１に伝言情報入力画面を表示する（ステップＳ６０８）。
【０１７１】
スワイプの方向が左方向でない（すなわち、スワイプの方向が右方向である）と判定すると（ステップＳ６０７においてＮＯ）、制御部２０２は、表示部２０１に予定情報入力画面を表示する（ステップＳ６０９）。
【０１７２】
移動距離が閾値未満であると判定した場合（ステップＳ６０６においてＮＯ）、伝言情報入力画面を表示した場合、および、予定情報入力画面を表示した場合、制御部２０２は、入力画面表示処理を終了する。
【０１７３】
なお、図１５では、ステップＳ６０７においてスワイプによるユーザ操作が検出された場合の、制御部２０２による処理の流れを説明したが、これに限定されるものではない。例えば、制御部２０２は、ステップＳ６０７において「伝言」ボタンのタッチ操作を検出した場合にステップＳ６０８を実行し、「予定」ボタンのタッチ操作を検出した場合にステップＳ６０９を実行してもよい。
【０１７４】
上記の構成によれば、情報共有システム１０は、伝言情報および予定情報を、通信端末装置２００の備える表示部２０１の異なる端に寄った状態で表示する。これによって、情報共有システム１０は、伝言情報および予定情報を、通信端末装置２００の備える表示部２０１に、高い視認性を持たせた上で一つの時系列で表示することができる。したがって、ユーザは、表示されている情報が、表示部２０１のどちらの端に寄っているかによって、伝言情報および予定情報の何れであるかを容易に認識することができる。
【０１７５】
また、情報共有システム１０は、通信端末装置２００の備える制御部２０２によって、タッチパネル２０４において検出したスワイプの開始点側に寄せて表示されている表示情報（伝言情報または予定情報）に関する入力を受け付ける表示情報入力画面（伝言情報入力画面または予定情報入力画面）を表示する。これによって、ユーザは、表示部２０１に異なる表示情報が混同して表示されている場合であっても、各表示情報に関する入力を受け付ける表示情報入力画面を、直感的に表示することができる。したがって、ユーザは、異なる表示情報が混同して表示されている場合であっても、迷うことなく、それぞれの表示情報に関する入力を行うことができる。
【０１７６】
＜変形例１＞
通信端末装置２００の備える表示部２０１に表示される表示情報入力画面の他の一例について、図１６および図１７を参照して説明する。図１６は、本変形例に係る通信端末装置２００の備える表示部２０１に表示される予定情報入力画面の一例を示す図である。図１６（ａ）は、画面を左方向にスワイプした際の表示画面の一例を示し、（ｂ）は、画面のスワイプによって表示される予定情報入力画面の一例を示している。
【０１７７】
図１６（ａ）に示すように、伝言情報および予定情報を表示した状態で、ユーザによる矢印Ｃ方向（左方向；ｘ軸負方向）へのスワイプを検出すると、制御部２０２は、表示部２０１の表示画面を左へスライドさせる。そして、制御部２０２は、図１６（ｂ）に示すように、予定情報入力画面において、ユーザによるスワイプが行われる前に表示されていた表示画面に含まれる予定情報の一部を表示する。このとき、図１６（ｂ）に示すように、制御部２０２は、予定情報の一部を、予定情報入力画面の左側（図１６においてｘ軸負方向）に表示する。
【０１７８】
また、制御部２０２は、図１６（ｂ）と同様に、伝言情報入力画面において、ユーザによるスワイプが行われる前に表示されていた表示画面に含まれる伝言情報の一部を表示する。このとき、制御部２０２は、伝言情報を、伝言情報入力画面の右側（図１６においてｘ軸正方向）に表示する。
【０１７９】
なお、制御部２０２は、表示部２０１に表示されている予定情報がスワイプによって選択された場合に、スケジュールの入力欄に、スワイプによって選択された予定情報が予め入力されている状態で予定情報入力画面を表示してもよい。例えば、図１６（ａ）に示すように、予定情報である「燃えないごみ」がスワイプによって選択された場合に、図１６（ｂ）に示すように、スケジュールの入力欄に「燃えないごみ」が予め入力されている状態で予定情報入力画面を表示してもよい。
【０１８０】
同様にして、制御部２０２は、表示部２０１に表示されている伝言情報がスワイプによって選択された場合に、メッセージの入力欄に、スワイプによって選択された伝言情報が予め入力されている状態で伝言情報入力画面を表示してもよい。また、制御部２０２は、伝言情報が表示部２０１左方向へのスワイプによって選択された場合に、スケジュールの入力欄に選択された伝言情報の入力された予定情報入力画面を表示してもよいし、予定情報が表示部２０１右方向へのスワイプによって選択された場合に、メッセージの入力欄に選択された予定情報の入力された伝言情報入力画面を表示してもよい。
【０１８１】
この構成によれば、制御部２０２は、伝言情報または予定情報の一部を、それぞれに関する入力を受け付ける表示情報入力画面と共に表示する。これによって、ユーザは、伝言情報入力画面または予定情報入力画面において、それぞれに対応する伝言情報または予定情報の一部を見ながら、すなわち、過去に入力した伝言情報または予定情報を確認しながら、それぞれに関する入力を行うことができる。
【０１８２】
また、ユーザは、すでに入力されている伝言情報および予定情報を、各表示情報に関する入力に際し、容易に複製して利用することができる。さらに、ユーザは、異なる表示情報を複製して利用することもでき、例えば、予定情報を、伝言情報に関する入力の際に複製して利用することもできる。
【０１８３】
さらに、制御部２０２は、図１６（ｂ）に示すように、予定情報入力画面において、予定情報を示すアイコンを予定情報の一部として表示してもよい。同様に、制御部２０２は、伝言情報入力画面において、伝言情報を示すアイコンを伝言情報の一部として表示してもよい。
【０１８４】
この構成によれば、制御部２０２は、伝言情報または予定情報の一部として、各情報を示すアイコンをそれぞれに関する入力を受け付ける入力画面と共に表示する。これによって、ユーザは、伝言情報入力画面または予定情報入力画面において、伝言情報または予定情報を示すアイコンを確認しながら、それぞれに関する入力を行うことができる。
【０１８５】
また、図１７に示すように、スワイプ以外のユーザ操作によっても、表示情報入力画面を表示してもよい。図１７は、本変形例に係る通信端末装置２００の備える表示部２０１に表示される伝言情報入力画面の一例を示す図である。図１７（ａ）は、伝言情報をタッチした際の表示画面の一例を示し、（ｂ）は、伝言情報入力画面の一例を示している。
【０１８６】
図１７（ａ）に示すように、制御部２０２は、表示部２０１に表示された伝言情報がタッチ操作によって選択された場合に、伝言情報入力画面を表示してもよい。このとき、制御部２０２は、伝言情報入力画面に含まれるメッセージの入力欄に、タッチ操作によって選択された伝言情報が予め入力されている状態で伝言情報入力画面を表示してもよい。
【０１８７】
同様に、制御部２０２は、表示部２０１に表示された予定情報がタッチ操作によって選択された場合に、予定情報入力画面を表示してもよい。このとき、制御部２０２は、予定情報入力画面に含まれるスケジュールの入力欄に、タッチ操作によって選択された予定情報が予め入力されている状態で予定情報入力画面を表示してもよい。
【０１８８】
これによって、ユーザは、過去に入力された伝言情報および予定情報を使いまわすことができ、同じ入力を再度行うという手間を省くことができる。
【０１８９】
＜変形例２＞
本実施形態では、異なる２つの表示情報が伝言情報でおよび予定情報である場合を例に挙げて説明したが、上述したように、これに限定されるものではない。
【０１９０】
まず、異なる２つの表示情報が仕事に関する伝言情報およびプライベートに関する伝言情報である場合について、図１８を参照して説明する。図１８は、異なる２つの表示情報が仕事に関する伝言情報およびプライベートに関する伝言情報である場合の表示画面の一例を示す図である。
【０１９１】
図１８に示すように、本変形例では、仕事に関する伝言情報は表示部２０１の時系列に沿った一方の端（図１８では、表示部２０１の左側（ｘ軸負方向））に寄せて表示されている。一方、プライベートに関する伝言情報は、表示部２０１の時系列に沿った他の端（図１８では、表示部２０１の右側（ｘ軸正方向））に寄せて表示している。
【０１９２】
さらに、図１８では、通信端末装置２００の備える表示部２０１の左側に寄せて表示されている仕事に関する伝言情報のうち、当該通信端末装置２００のユーザ（以降、当該ユーザとも呼称する）が送信した伝言情報を示すアイコンを、伝言情報を囲む枠の中でさらに右寄せして表示している。また、仕事に関する伝言情報のうち、当該通信端末装置２００と異なる通信端末装置２００のユーザ（以降、他のユーザとも呼称する）である「佐藤」さんから受信した伝言情報を示すアイコンを、枠の中でさらに左寄せして表示している。
【０１９３】
一方、図１８に示すように、表示部２０１の右側に寄せて表示されているプライベートに関する伝言情報のうち、当該ユーザが送信した伝言情報を示すアイコンを、伝言情報を囲む枠の中でさらに左寄せして表示している。また、他のユーザである「鈴木」さんから受信した伝言情報を示すアイコンを、枠の中でさらに右寄せして表示している。
【０１９４】
これによって、ユーザは、仕事に関する伝言情報およびプライベートに関する伝言情報のそれぞれについて、何れの伝言情報が相手から受信した伝言情報であり、何れの伝言情報が自分から送信した伝言情報であるのかを、容易に認識することができる。
【０１９５】
もちろん、本変形例はこれに限定されるものではなく、仕事に関する伝言情報である、当該ユーザが送信した伝言情報を示すアイコンおよび他のユーザから受信した伝言情報の双方を示すアイコンを何れも左寄せして表示してもよい。また、プライベートに関する伝言情報である、当該ユーザが送信した伝言情報を示すアイコンおよび他のユーザから受信した伝言情報の双方を示すアイコンを何れも右寄せして表示してもよい。
【０１９６】
この構成によれば、ユーザは、表示部２０１に表示された伝言情報が、仕事に関する伝言情報であるか、プライベートに関する伝言情報であるかを、より容易に認識することができる。
【０１９７】
次に、異なる２つの表示情報が仕事に関する予定情報およびプライベートに関する予定情報である場合について、図１９を参照して説明する。図１９は、異なる２つの表示情報が仕事に関する予定情報およびプライベートに関する予定情報である場合の表示画面の一例を示す図である。
【０１９８】
図１９に示すように、本変形例では、仕事に関する予定情報は表示部２０１の時系列に沿った一方の端（図１９では、表示部２０１の左側（ｘ軸負方向））に寄せて表示されている。一方、プライベートに関する予定情報は、表示部２０１の時系列に沿った他の端（図１９では、表示部２０１の右側（ｘ軸正方向））に寄せて表示している。
【０１９９】
また、図１９に示すように、仕事に関する予定情報を示すアイコンは、予定情報を囲む枠の中でさらに左寄せして表示されている。一方、プライベートに関する予定情報を示すアイコンは、予定情報を囲む枠の中でさらに右寄せして表示されている。
【０２００】
この構成によれば、ユーザは、表示部２０１に表示された予定情報が、仕事に関する予定情報であるか、プライベートに関する予定情報であるかを、容易に認識することができる。
【０２０１】
＜変形例３＞
図７に示す表示画面の一例では、広告情報が表示部２０１の何れの端にも寄らずに表示されている場合について説明したが、広告情報を含む表示画面はこれに限定されるものではない。
【０２０２】
例えば、図２０に示すように、広告情報が表示部２０１の時系列に沿った両端に届くように表示される構成を採用してもよい。図２０は、本変形例に係る通信端末装置２００の表示部２０１に表示される、広告情報を含む表示画面の一例を示す図である。
【０２０３】
また、図６および図７に示す表示画面の一例では、伝言情報を示すアイコンおよび予定情報を示すアイコンが、伝言情報および予定情報と共に、表示部２０１の異なる端に寄せて表示されている場合について説明したが、表示画面はこれに限定されるものではない。
【０２０４】
例えば、予定情報および伝言情報を、各情報を示すアイコンを含むことなく表示する構成を採用してもよい。アイコンを含むことなく伝言情報および予定情報を表示する場合の、通信端末装置２００の備える表示部２０１の表示画面の一例について、図２１および図２を参照して説明する。
【０２０５】
図２１は、本変形例に係る通信端末装置２００の備える表示部２０１において予定情報および伝言情報を一つの時系列上に表示した、表示画面の一例を示す図である。図２２は、本変形例に係る通信端末装置２００の備える表示部２０１において予定情報、伝言情報、および広告情報を一つの時系列上に表示した、表示画面の一例を示す図である。
【０２０６】
図２１に示すように、本変形例に係る情報共有システム１０の備える通信端末装置２００は、予定情報および伝言情報を、アイコンを含むことなく表示部２０１に表示している。
【０２０７】
また、図２２に示すように、本変形例に係る情報共有システム１０の備える通信端末装置２００は、予定情報、伝言情報および広告情報を、アイコンを含むことなく表示部２０１に表示している。
【０２０８】
ここで、予定情報および伝言情報など、異なるカテゴリーのコンテンツについては、異なるフォルダで管理したり、異なるアプリケーションによってユーザに提供することが、従来では一般的である。これは、異なるカテゴリーのコンテンツを同一の時系列上に表示すると、ユーザが異なるカテゴリーのコンテンツを容易に見分けることができず、ユーザの混乱を招く可能性が高いためである。
【０２０９】
また、異なるカテゴリーのコンテンツを同一の時系列上に表示する必要がある場合には、特許文献１に記載の技術のように、各カテゴリーまたは各コンテンツに合わせたアイコンを用いて表示しなければならなかった。これは、アイコンを用いなければ、ユーザが異なるカテゴリーのコンテンツを容易に見分けることができないためである。
【０２１０】
これに対し、上述のように、通信端末装置２００は、予定情報および伝言情報の一方を左寄せして表示し、他方を右寄せして表示することにより、アイコンを含まなくとも識別可能に表示している。したがって、ユーザは、表示部２０１の何れの端に寄せられているかによって、伝言情報と予定情報とを容易に見分けることができる。
【０２１１】
このように、本変形例に係る情報共有システム１０では、伝言情報および予定情報を表示する際にアイコンを含むことなく表示しているため、表示画面のデザインがアイコンによって制限されることがない。また、アイコンの画像を表示させる際に、通信端末装置２００において生じる処理の負荷を低減することができるため、通信端末装置２００における表示処理の速度を向上させることができる。
【０２１２】
さらに、表示画面をシンプルにすることができるため、伝言情報および予定情報が低解像度で表示される場合、および、表示部２０１が狭い場合などであっても、伝言情報と予定情報とを容易に見分けることのできる、高い視認性を確保することができる。
【０２１３】
なお、アイコンを含まない表示画面を表示する場合には、上述した表示情報整理処理において、伝言情報、予定情報および広告情報の配置（ステップＳ５０４ａ〜ｃ）を実行した後、各情報に対応するアイコンの配置（ステップＳ５０５ａ〜ｃ）を実行することなく、次の処理を実行すればよい。
【０２１４】
なお、アイコンをさらに表示可能な表示データを、サーバ装置１００の備える制御部１０１によって生成する構成を例に挙げて説明したが、本変形例はこれに限定されるものではない。例えば、アイコンをさらに表示可能な表示データを、通信端末装置２００の備える制御部２０２によって生成する構成を採用してもよい。
【０２１５】
この場合には、例えば、上述した表示情報整理処理における更なる処理を、通信端末装置２００の備える制御部２０２において実行することによって、アイコンをさらに表示可能な表示データを生成すればよい。
【０２１６】
また、表示情報入力画面を、サーバ装置１００の備える制御部１０１によって予め生成し、通信端末装置２００に供給する構成を採用してもよい。この場合には、上述した表示データ生成処理に続けて、表示情報入力画面を生成する処理を、サーバ装置１００の備える制御部１０１において実行し、生成した表示情報入力画面を含んだデータを表示データとして通信端末装置２００に供給すればよい。
【０２１７】
〔プログラム、記録媒体〕
サーバ装置１００の制御部１０１、および、通信端末装置２００の制御部２０２は、集積回路（ＩＣチップ）上に形成された論理回路によってハードウェア的に実現してもよいし、ＣＰＵ（Central Processing Unit）を用いてソフトウェア的に実現してもよい。
【０２１８】
後者の場合、制御部１０１および制御部２０２は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである制御部１０１および制御部２０２の制御プログラムのプログラムコード（実行形式プログラム、中間コードプログラム、ソースプログラム）をコンピュータで読み取り可能に記録した記録媒体を、制御部１０１および制御部２０２に供給し、そのコンピュータ（またはＣＰＵやＭＰＵ）が記録媒体に記録されているプログラムコードを読み出し実行することによっても、達成可能である。
【０２１９】
上記記録媒体としては、例えば、ハードディスク等の磁気ディスクやＣＤ−ＲＯＭ／ＣＤ−Ｒ／ＣＤ−ＲＷ／ＭＯ／ＤＶＤ−ＲＯＭ／ＤＶＤ−Ｒ／ＤＶＤ−ＲＷ／Ｂｌｕ−ｒａｙディスク（ＢＤ）−ＲＯＭ／ＢＤ−Ｒ／ＢＤ−ＲＥ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュメモリ等の半導体メモリ類などを用いることができる。
【０２２０】
また、上記プログラムコードは、通信ネットワークを介して制御部１０１および制御部２０２に供給してもよい。この通信ネットワークは、プログラムコードを伝送可能であればよく、特に限定されない。例えば、インターネット、ＬＡＮ、ＣＡＴＶ通信網、電話回線網、移動体通信網等が利用可能である。また、この通信ネットワークを構成する伝送媒体も、特定の構成または種類のものに限定されない。例えば、電話線、ＬＡＮケーブル、ケーブルＴＶ回線等のメタルケーブルや、ＦＴＴＨ等の光ファイバを利用した有線でも、携帯電話回線、ＷＬＡＮ等の電波、ＩｒＤＡやリモコンのような赤外線などを利用した無線でも利用可能である。
【０２２１】
本発明は上述した実施形態および変形例に限定されるものではなく、請求項に示した範囲で種々の変更が可能であり、上記実施形態にそれぞれ開示された技術的手段を適宜組み合わせて得られる他の実施形態についても本発明の技術的範囲に含まれる。
【産業上の利用可能性】
【０２２２】
本発明は、サーバ装置に格納された情報をスマートフォン、携帯電話、タブレット型ＰＣなどの通信端末装置に表示することのできる表示システムに好適に利用することができる。また、本発明は、メッセージボード、掲示板、ＳＮＳ（Social Networking Service）など、複数のユーザの間で情報共有を行うサービスにも好適に利用することができる。
【符号の説明】
【０２２３】
１０        情報共有システム（表示システム）
１００      サーバ装置
１０１      制御部（生成手段）
１０２      通信部（送信手段）
１０３      記憶部
２００      通信端末装置
２０１      表示部
２０２      制御部（表示手段）
２０３      通信部
２０４      タッチパネル
３００      ネットワーク
【図１】
0005599438.tif 000002
【図２】
0005599438.tif 000003
【図３】
0005599438.tif 000004
【図４】
0005599438.tif 000005
【図５】
0005599438.tif 000006
【図６】
0005599438.tif 000007
【図７】
0005599438.tif 000008
【図８】
0005599438.tif 000009
【図９】
0005599438.tif 000010
【図１０】
0005599438.tif 000011
【図１１】
0005599438.tif 000012
【図１２】
0005599438.tif 000013
【図１３】
0005599438.tif 000014
【図１４】
0005599438.tif 000015
【図１５】
0005599438.tif 000016
【図１６】
0005599438.tif 000017
【図１７】
0005599438.tif 000018
【図１８】
0005599438.tif 000019
【図１９】
0005599438.tif 000020
【図２０】
0005599438.tif 000021
【図２１】
0005599438.tif 000022
【図２２】
0005599438.tif 000023